(57)【特許請求の範囲】
【請求項１】
複数の素線からなり、被覆のないドレーン線と、被覆電線であるコア線とを、前記ドレーン線に接触するシールド層で束ね、その外側を絶縁被覆層で被覆して構成したシールド電線における端部から前記コア線と前記ドレーン線とが延出され、
延出した前記コア線は、車両のエンジン制御ユニット内部に導入され、延出した前記ドレーン線は、導体が複数の芯線からなる被覆電線であるアース線の少なくとも他端側が露出した他端側露出部分に接続され、前記アース線は、一端が接地端子に接続され、
前記アース線の前記他端側露出部分と、
前記シールド電線の端部から延出された前記ドレーン線の露出部分と、
前記ドレーン線の露出部分、及び前記アース線の前記他端側露出部分を接続するジョイント手段とでなるジョイント部に、少なくとも前記素線及び前記芯線間に浸透する樹脂系の止水剤で構成した止水部を備え、
前記樹脂系の止水剤を、
シリコーン樹脂系止水剤で構成し、
前記止水部を、前記ジョイント部と前記シールド電線の端部とを一体に包み込んで形成した
シールド電線におけるドレーン線とアース線とのジョイント部の止水構造。
【請求項２】
前記アース線の一端に接続される前記接地端子を、
車両のエンジン電子制御ユニット内に配置した
請求項１に記載のシールド電線におけるドレーン線とアース線とのジョイント部の止水構造。
【請求項３】
複数の素線からなり、被覆のないドレーン線と、被覆電線であるコア線とを、前記ドレーン線に接触するシールド層で束ね、その外側を絶縁被覆層で被覆して構成したシールド電線における前記ドレーン線と、
一端が接地端子に接続され、導体が複数の芯線からなる被覆電線であるアース線における他端側の導体とを、それぞれ露出させ、
前記アース線の前記他端側露出部分に向けて前記シールド電線の端部から延出された前記ドレーン線の露出部分と、前記アース線の他端側露出部分とを、ジョイント手段で接続し、
該ジョイント手段、前記ドレーン線の露出部分、及び前記アース線の他端側露出部分で構成するジョイント部と、前記ドレーン線が延出されるとともに、車両のエンジン制御ユニット内部に導入されるように前記コア線が延出される前記シールド電線の端部とに、樹脂系の止水剤としてシリコーン樹脂系止水剤を浸透させて、これらジョイント部と前記シールド電線の端部とを、一体に包み込む止水部を形成する
シールド電線におけるドレーン線とアース線とのジョイント部の止水方法。
【発明の詳細な説明】
【技術分野】
【０００１】
この発明は、例えば、シールド電線におけるドレーン線とアース線とをジョイントするジョイント部の止水構造に関する。
【背景技術】
【０００２】
近年、燃費向上や排ガス低減などのために、エンジンが電子的に制御された自動車が一般的になっており、このようなエンジンが電子制御された自動車は、エンジンを電子制御するエンジン電子制御ユニット（Ｅｌｅｃｔｒｏｎｉｃ  Ｃｏｎｔｒｏｌ  Ｕｎｉｔ、以下においてＥＣＵという）をエンジンルーム内に設置することが多い。
【０００３】
このエンジンＥＣＵに導入される電線はノイズ防止のためにシールド電線が用いられることが多い。なお、シールド電線は、ドレーン線と複数のコア線とが、シールド層で共に束ねられ、その外側を被覆層で被覆した電線である。
【０００４】
ドレーン線は、複数の素線からなり、編組または撚りによって成形され、かつ被覆のない導体である。コア線は、信号伝達用の被覆電線である。シールド層は、金属箔や金属メッシュ等が用いられている。
【０００５】
なお、シールド電線におけるシールド層と、エンジンＥＣＵ内の接地端子とをノイズ防止のために導通させるためには、シールド層に接触しているドレーン線を、エンジンＥＣＵ内の接地端子に導通させる必要がある。
【０００６】
しかし、被覆のない編組線または撚り線で構成されたドレーン線をエンジンＥＣＵ内に直接導入することは困難であるため、ドレーン線に被覆電線であるアース線を接続し、アース線をエンジンＥＣＵ内に導入することとなる。このときのドレーン線とアース線との接続は、アース線の被覆を剥き露出させた芯線とドレーン線とをジョイント端子に挿入し、外部からカシメて圧着するカシメ接続や、アース線の芯線とドレン線を、端子等を用いずに集合させて加圧しつつ、超音波振動や抵抗加熱を加えて溶着させる方法もある。
【０００７】
また、エンジンルーム内は水がかかることが多いので、上述したようにエンジンルーム内にエンジンＥＣＵを配置する場合、エンジンＥＣＵ自体は防水性を有しているものの、ドレーン線とアース線とのジョイント部から、アース線の被覆内側を伝ってエンジンＥＣＵ内部まで水が浸入する場合がある。
【０００８】
詳述すると、ジョイント部では被覆電線であるアース線の被覆が除去されており、カシメ等によって接続されたジョイント端子に水がかかると、毛細管現象によってアース線の芯線間に水が浸入し、被覆内を伝って水がエンジンＥＣＵ内まで浸入するためと考えられる。
【０００９】
一方、ドレーン線は被覆のない編組線または撚り線であるため、ドレーン線部分が被水すると、ドレーン線の素線間を伝わってシールド電線内に水が浸入するとともに、ジョイント端子を介してアース線側に水が浸入する惧れもある。
【００１０】
このため、エンジンＥＣＵに導入されるアース線だけでなく、シールド電線のドレーン線、それらを接続するジョイント部も止水する必要があり、シールド電線におけるドレーン線とアース線とのジョイント部の止水性を確保するために、ジョイント部をペースト状のシール材で覆う止水方法が提案されている（特許文献１参照）。
【００１１】
これにより、シールド電線におけるドレーン線とアース線とのジョイント部の止水性を確保することができる。しかし、特許文献１のようなシール材を用いてジョイント部を覆うような止水方法では、シール材の硬さと、シール部の径が太くなることによって、シールド線の取扱性が低下するとともに、シールド電線で構成するハーネスの柔軟性が低下するといった問題があった。
【００１２】
また、シールド層はノイズ防止のためにあるので、シールド層を剥がす区間はできるだけ短いことが望ましく、必然的にドレーン線とアース線とのジョイント部はエンジンＥＣＵに近いところに設けられることが多い。さらには、近年の自動車では、設置するシールド電線の数が増加する傾向にあるが、このようにして、エンジンＥＣＵの付近に柔軟性の低い防水シール部が集中し、車両組付け性が悪化するという問題もあった。
【特許文献１】特開２００７−１０９６８４号公報
【発明の開示】
【発明が解決しようとする課題】
【００１３】
この発明は、ドレーン線とアース線とのジョイント部を、取扱性を低下させることなく確実に止水することのできる止水構造を提供することを目的とする。
【課題を解決するための手段】
【００１４】
この発明は、複数の素線からなり、被覆のないドレーン線と、被覆電線であるコア線とを、前記ドレーン線に接触するシールド層で束ね、その外側を絶縁被覆層で被覆して構成したシールド電線における端部から前記コア線と前記ドレーン線とが延出され、延出した前記コア線は、車両のエンジン制御ユニット内部に導入され、延出した前記ドレーン線は、導体が複数の芯線からなる被覆電線であるアース線の少なくとも他端側が露出した他端側露出部分に接続され、前記アース線は、一端が接地端子に接続され、前記アース線の前記他端側露出部分と、前記シールド電線の端部から延出された前記ドレーン線の露出部分と、前記ドレーン線の露出部分、及び前記アース線の前記他端側露出部分を接続するジョイント手段とでなるジョイント部に、少なくとも前記素線及び前記芯線間に浸透する樹脂系の止水剤で構成した止水部を備え、前記樹脂系の止水剤を、シリコーン樹脂系止水剤で構成し、前記止水部を、前記ジョイント部と前記シールド電線の端部とを一体に包み込んで形成したシールド電線におけるドレーン線とアース線とのジョイント部の止水構造であることを特徴とする。
【００１５】
この発明の態様として、前記アース線の一端に接続される前記接地端子を、車両のエンジン電子制御ユニット内に配置することができる。
【００１６】
また、この発明は、複数の素線からなり、被覆のないドレーン線と、被覆電線であるコア線とを、前記ドレーン線に接触するシールド層で束ね、その外側を絶縁被覆層で被覆して構成したシールド電線における前記ドレーン線と、一端が接地端子に接続され、導体が複数の芯線からなる被覆電線であるアース線における他端側の導体とを、それぞれ露出させ、前記アース線の前記他端側露出部分に向けて前記シールド電線の端部から延出された前記ドレーン線の露出部分と、前記アース線の他端側露出部分とを、ジョイント手段で接続し、該ジョイント手段、前記ドレーン線の露出部分、及び前記アース線の他端側露出部分で構成するジョイント部と、前記ドレーン線が延出されるとともに、車両のエンジン制御ユニット内部に導入されるように前記コア線が延出される前記シールド電線の端部とに、樹脂系の止水剤としてシリコーン樹脂系止水剤を浸透させて、これらジョイント部と前記シールド電線の端部とを、一体に包み込む止水部を形成するシールド電線におけるドレーン線とアース線とのジョイント部の止水方法であることを特徴とする。
【００１７】
上記複数の素線からなり、被覆のないドレーン線は、被覆のない編組線で構成されたドレーン線あることを含む。  
上記ジョイント部は、シールド電線から延出して露出するドレーン線と、前記アース線の被覆が剥かれて露出する導体と、これらをジョイント手段で接続するジョイント箇所とで構成する部分であることを含む。
【００１８】
上記ジョイント手段は、ジョイント端子や金属スリーブ等のジョイント体を用いたカシメ接続や、アース線の芯線とドレン線を、端子等を用いずに集合させて加圧しつつ、超音波振動や抵抗加熱を加えて溶着させる接続であることを含む。
【００１９】
上記ドレーン線とアース線の他端との接続は、前記シールド層を導通するために、シールド層を構成する金属箔に接触しているドレーン線と、一端が接地端子に接続されたアース線とを接続することを含む。
【００２０】
上記素線及び前記芯線間に浸透する樹脂系の止水剤とは、少なくとも素線及び芯線間へ浸透することのできる流体状の樹脂系の止水剤であり、シリコーン樹脂、エポキシ樹脂、あるいはウレタン樹脂系の止水剤であることを含む。
【００２１】
上記ジョイント部に樹脂系の止水剤を浸透させるは、流体状である樹脂系の止水剤にジョイント部を浸漬する方法や、流体状である樹脂系の止水剤をジョイント部に滴下したり、塗布する方法で浸透させることを含む。
【００２２】
このように、複数の素線からなり、被覆のないドレーン線と、被覆電線であるコア線とを、前記ドレーン線に接触するシールド層で束ね、その外側を絶縁被覆層で被覆して構成したシールド電線における前記ドレーン線と、一端が接地端子に接続され、導体が複数の芯線からなる被覆電線であるアース線の他端とを接続するジョイント部において、少なくとも前記素線及び前記芯線間に浸透する樹脂系の止水剤で構成した止水部を備えたことによって、ドレーン線とアース線とのジョイント部を、樹脂系の止水剤で構成された止水部で被覆して確実に止水することができる。
【００２３】
詳しくは、ジョイント手段、ドレーン線の露出部分及びアース線の露出する前記他端側導体部分で構成するジョイント部を止水部で止水するとともに、止水部を構成する樹脂系の止水剤が芯線間や素線間に浸透しているため、毛細管現象による芯線間や素線間への水の浸入を防止することができる。  
したがって、電気的・機械的に信頼性の高い、シールド電線のドレーン線とアース線のジョイント部を構成することができる。
【００２４】
また、止水部を樹脂系の止水剤で構成したことによって、シールド電線の取扱性の低下を防止するとともに、シールド電線で構成するハーネス柔軟性を低下させることなく止水効果を得ることができる。したがって、例えば、車両への組付け性の低下を防止することができる。
【００２５】
さらにまた、前記樹脂系の止水剤を、シリコーン樹脂系止水剤で構成したことによって、硬化前の粘度、又は硬化後の柔軟性や止水性能等の所望性能を有するとともに、耐熱性、耐寒性及び耐候性に優れた止水部を構成することができる。
【００２６】
また、前記アース線の一端に接続される前記接地端子が車両のエンジン電子制御ユニット内に配置されても、エンジンＥＣＵ内に水が浸入することを防止できるシールド電線のドレーン線とアース線のジョイント部を構成することができる。
【００２７】
また、シールド電線におけるドレーン線とアース線とのジョイント部を、複数の素線からなり、被覆のないドレーン線と、被覆電線であるコア線とを、前記ドレーン線に接触するシールド層で束ね、その外側を絶縁被覆層で被覆して構成したシールド電線における前記ドレーン線と、一端が接地端子に接続され、導体が複数の芯線からなる被覆電線であるアース線における他端側の導体とを、それぞれ露出させ、前記アース線の前記他端側露出部分に向けて前記シールド電線の端部から延出された前記ドレーン線の露出部分と、前記アース線の他端側露出部分とを、ジョイント手段で接続し、該ジョイント手段、前記ドレーン線の露出部分、及び前記アース線の他端側露出部分で構成するジョイント部と、前記ドレーン線が延出されるとともに、車両のエンジン制御ユニット内部に導入されるように前記コア線が延出される前記シールド電線の端部とに、樹脂系の止水剤としてシリコーン樹脂系止水剤を浸透させて、これらジョイント部と前記シールド電線の端部とを、一体に包み込む止水部を形成するシールド電線におけるドレーン線とアース線とのジョイント部の止水方法で止水することによって、容易かつ確実にシールド電線のジョイント部を止水することができる。
【００２８】
したがって、シールド電線で構成するハーネス製造の際の止水作業が容易となり、低コスト化することができる。また、シールド電線におけるコア線の数が増えても、同様の止水作業で止水できるため、利便性が向上する。
【００２９】
さらにまた、前記樹脂系の止水剤を、シリコーン樹脂系止水剤で構成したことによって、硬化前の粘度、又は硬化後の柔軟性や止水性能等の所望性能を有するとともに耐熱性、耐寒性及び耐候性に優れた止水を構成することができる。  
殊に、低粘度のシリコーン樹脂系止水剤を用い、流体状の止水剤にジョイント部を浸漬させて止水部を形成する場合、低粘度のシリコーン樹脂系止水剤が素線間や芯線間に浸透するため、より止水性の高い止水部を容易に構成することができる。
【発明の効果】
【００３０】
この発明によれば、ドレーン線とアース線とのジョイント部を、取扱性を低下させることなく確実に止水することのできる止水構造を提供することができる。
【発明を実施するための最良の形態】
【００３１】
この発明の一実施形態を以下図面と共に説明する。  
シールド電線１０におけるドレーン線１１と、アース線２０とのジョイント区間３０の止水は、図１に示すように、ジョイント端子３１、並びに前記ドレーン線１１及び前記アース線２０の露出する前記導体２１で構成するジョイント区間３０を止水するシリコーン止水部４０で構成している。なお、図１はシールド電線１０のドレーン線１１とアース線２０とをジョイントするジョイント区間３０の概略図を示している。
【００３２】
シールド電線１０は、図２に示すように、複数の素線からなる編組線であるドレーン線１１と、被覆電線であるコア線１２とを、金属箔からなるシールド層１３で被覆し、該シールド層１３の外側を被覆層１４で被覆して構成している。なお、図２はシールド電線１０の構成を説明するシールド電線１０の断面図を示している。
【００３３】
アース線２０は、車両のエンジンＥＣＵ１００内に配置された接地端子（図示省略）に接続され、導体２１が複数の芯線からなる被覆電線である。  
ジョイント区間３０は、複数の素線からなり、シールド電線１０から延出するドレーン線１１と、アース線２０の他端側２０ａの導体２１と、ドレーン線１１と導体２１とをカシメ接続するジョイント端子３１とで構成している。
【００３４】
ジョイント端子３１、並びに前記ドレーン線１１の露出部分及び前記アース線２０の露出する導体２１で構成するジョイント区間３０を内包して止水するシリコーン止水部４０は、ドレーン線１１の素線間及び導体２１の芯線間に浸透するシリコーン樹脂系止水剤で構成している。
【００３５】
なお、本実施例において、シリコーン止水部４０はジョイント区間３０を内包して止水しているが、ジョイント区間３０の表面全体を覆うことなく、ドレーン線１１の素線間及び導体２１の芯線間にシリコーン樹脂を確実に浸透させて構成してもよい。
【００３６】
上記構成を詳述すると、シールド電線１０は、６本のコア線１２と、編組線であるドレーン線１１とを、金属箔で構成したシールド層１３で束ね、その外側を被覆層１４で被覆して構成し、ドレーン線１１とシールド層１３とは接触して導通性を有している。  
そして、ドレーン線１１は、シールド電線１０の被覆層１４及びシールド層１３が剥かれた端部１０ａからコア線１２とともに延出している。
【００３７】
このように、シールド電線１０の端部１０ａから延出したコア線１２は、エンジンＥＣＵ１００内部に導入され、端部１０ａから延出したドレーン線１１にはアース線２０が接続される。なお、ドレーン線１１に接続されたアース線２０のエンジンＥＣＵ１００側の端部は、コア線１２と同様にエンジンＥＣＵ１００内部に導入されて接地端子に接続されている。
【００３８】
このように、エンジンＥＣＵ１００内部に導入されて接地端子に接続されたアース線２０は、ノイズを逃がすための電線であり、一般に、ＪＡＳＯ（日本自動車技術会の規格）ではＡＶＳＳ線と呼ばれる自動車用極薄肉型低圧電線（絶縁被覆層が薄い被覆線）が用いられる。
【００３９】
このように、シールド電線１０は、アース線２０を介してドレーン線１１をエンジンＥＣＵ１００内の接地端子に接続することによって、ドレーン線１１と導通するシールド層１３のシールド性を確保している。
【００４０】
このようなジョイント区間３０をシリコーン止水部４０で止水することによる、シールド電線１０におけるジョイント区間３０の止水は、ドレーン線１１の素線間やアース線２０の導体２１の芯線間内に浸み込む程度の低粘度の流体状であるシリコーン樹脂にジョイント区間３０を浸して構成している。なお、本実施例において、低粘度のシリコーン樹脂として粘性が０．６Ｐａ・ｓである低粘度シリコーン樹脂を用いている。
【００４１】
詳しくは、ジョイント区間３０を流体状であるシリコーン樹脂に浸漬して、導体２１の芯線間やドレーン線１１の素線間にシリコーン樹脂を充填した後、このシリコーン樹脂を熱などによって硬化させてシリコーン止水部４０を形成している。
【００４２】
このように、ジョイント区間３０を止水するシリコーン止水部４０は、アース線２０の導体２１を構成する芯線間の隙間および芯線と被覆の隙間や、ドレーン線１１の素線間の隙間に低粘度のシリコーン樹脂を充填させているため、アース線２０の導体２１の露出部分、シールド電線１０の端部１０ａから延出したドレーン線１１、及びジョイント端子３１に水がかかっても、毛細管現象による水の吸い上げを防止でき、エンジンＥＣＵ１００への水の浸入を防止することができる。
【００４３】
また、シールド電線１０の端部１０ａから延出したドレーン線１１の露出部分の素線間にシリコーン樹脂が充填されているので、ドレーン線１１が被水した場合であっても、カシメ接続するジョイント端子３１を介してアース線２０に水が浸入することを防止している。
【００４４】
さらに、図１に示すように、シリコーン止水部４０はシールド電線１０の端部１０ａを一体的にシリコーン樹脂で覆うと、シールド電線１０の内部への水の浸入も防止でき、より確実な止水性を確保できるのでより好ましい。
【００４５】
なお、本実施例においてはシールド電線１０の端部１０ａを覆う部分のシリコーン止水部４０に粘性が５０Ｐａ・ｓの高粘度のシリコーン樹脂を用いているが、例えば、薄いシート状のブチルゴムを巻き付けてもよい。
【００４６】
このように、流体状態において低粘度であるシリコーン樹脂にジョイント区間３０を浸漬することによって、アース線２０の導体２１の芯線間やドレーン線１１の素線間の隙間を充填するとともに、ジョイント区間３０とシールド電線１０の端部１０ａとを一体的に包み込むことができるシリコーン止水部４０を形成し、容易な止水作業で確実な止水性能を実現することができる。
【００４７】
また、シリコーン止水部４０によって、ジョイント区間３０とシールド電線１０の端部１０ａとを一体的に包み込んでいるため、シールド電線１０の取扱性を低減することなく、確実な止水性能を実現することができる。したがって、車両組付け性の悪化も防止することができる。
【００４８】
また、ドレーン線１１の露出部分、すなわちシールド電線１０の端部１０ａから延出する延出部分の長さは短いことが好ましいが、実際にはドレーン線１１とアース線２０の接続の作業のために適宜の所定長さ（数十〜長い場合は１００ｍｍ）が必要であり、そのため水がかかる面積が大きくなり、ドレーン線１１に接続されたアース線２０への水の浸入の可能性は高まる。しかし、ジョイント区間３０とシールド電線１０の端部１０ａとをシリコーン止水部４０が一体的に包み込んでいるため、確実に止水することができる。
【００４９】
なお、シリコーン止水部４０は熱によって硬化されているが、また、硬化させない場合は、シリコーン樹脂が流れ落ちないように、ジョイント区間３０を、高粘度のシリコーン樹脂、テープ、熱収縮チューブ、樹脂製のキャップ、あるいは薄いシート状のブチルゴム等で覆ってもよい。
【００５０】
さらには、シリコーン止水部４０を構成する低粘度のシリコーン樹脂の外側に、高粘度のシリコーン樹脂や薄いシート状のブチルゴム等をさらに被せても良く、それをさらに樹脂性のキャップ等で覆っても良い。
【００５１】
このように、キャップや熱収縮チューブやテープ等を用いた場合であっても、例えば、シール材でドレーン線全体を覆う場合と比べて、ハーネスの柔軟性は良好に保たれる。
【００５２】
また、ドレーン線１１と、アース線２０の導体２１とはジョイント端子３１でカシメて接続されているが、金属スリーブを用いてカシメ接続してもよい。  
さらには、ドレーン線１１と、アース線２０の導体２１を集合させて加圧しつつ、超音波振動や抵抗加熱を加える溶着によって接続してもよい。
【００５３】
また、本実施例においては、シリコーン止水部４０にシリコーン樹脂を用いたが、浸漬可能な流体状のエポキシ樹脂やウレタン樹脂で構成してもよい。  
なお、上記実施例において、ジョイント区間３０を流体状であるシリコーン樹脂に浸漬して、導体２１の芯線間やドレーン線１１の素線間にシリコーン樹脂を充填した後、このシリコーン樹脂を熱などによって硬化させてシリコーン止水部４０を形成したが、滴下や塗布によってシリコーン止水部４０を形成してもよい。
【００５４】
この発明の構成と、上述の実施形態との対応において、
この発明のジョイント部は、ジョイント区間３０に対応し、
以下同様に、
止水部は、シリコーン止水部４０に対応し、
ジョイント手段は、ジョイント端子３１に対応し、
エンジン電子制御ユニットは、エンジンＥＣＵ１００に対応し、
アース線の他端側露出部分は、アース線２０の導体２１の露出部分に対応し、
するも、
この発明は、上述の実施形態の構成のみに限定されるものではなく、多くの実施の形態を得ることができる。
【図面の簡単な説明】
【００５５】
【図１】シールド電線のドレーン線とアース線のジョイント区間の概略図。
【図２】シールド電線の構成を説明するシールド電線の断面図。
【符号の説明】
【００５６】
１０…シールド電線
１１…ドレーン線
１２…コア線
１３…シールド層
１４…被覆層
２０…アース線
２０ａ…他端側
２１…導体
３０…ジョイント区間
３１…ジョイント端子
４０…シリコーン止水部
１００…エンジンＥＣＵ
【図１】
0005144319.tif 000002
【図２】
0005144319.tif 000003